(57)【要約】【課題】様々な特殊撮影を行なうことのできる撮影用アダプタを安価に提供する。【解決手段】レンズ付きフイルムユニット３の前面に、撮影用アダプタを構成する固定枠２０を取り付ける。固定枠２０は、開口２３から撮影レンズ６を露呈させている。固定枠２０には、アナモルフィック撮影を行なうことのできる可動枠２１や、ソフトフォーカス撮影を行なうことのできる可動枠４６、接写撮影を行なうことのできる可動枠４８等を種々選択して取り付けることができる。可動枠２１，４６，４８は、固定枠２０の軸受部２８，２９に回動自在に取り付けられ、撮影レンズ６の前方に配置される特殊撮影位置と、撮影レンズ６を露呈させる通常撮影位置との間で回動される。【選択図】　　　　図６
2004093907.tif 000002
【特許請求の範囲】
【請求項１】
カメラに装着して用いられ、撮影レンズの前方に撮影光学系を変化させる特殊撮影部品を配置して、特殊撮影を行なえるようにする撮影用アダプタにおいて、
カメラに装着される固定部材と、この固定部材に対して着脱自在とされ、前記特殊撮影部品が組み込まれる着脱部材とからなることを特徴とする撮影用アダプタ。
【請求項２】
種類の異なる前記特殊撮影部品が組み込まれた複数種類の着脱部材を設け、これらの着脱部材を前記固定部材に選択的に取り付けられるようにしたことを特徴とする請求項１記載の撮影用アダプタ。
【請求項３】
前記固定部材と着脱部材とのいずれか一方に回動軸を、他方に回動軸を支持する軸受部をそれぞれ形成し、撮影レンズの前方に特殊撮影部品を配置する特殊撮影位置と、撮影レンズの前方から特殊撮影部品を退避させる通常撮影位置との間で該着脱部材を回動自在としたことを特徴とする請求項１または２記載の撮影用アダプタ。
【請求項４】
前記回動軸を短くして、回動軸と軸受部との嵌合量を該軸受部の幅寸法の半分以下としたことを特徴とする請求項１ないし３いずれか記載の撮影用アダプタ。
【請求項５】
カメラに装着して用いられ、撮影レンズの前方に撮影光学系を変化させる特殊撮影部品を配置して、特殊撮影を行なえるようにする撮影用アダプタにおいて、
前記撮影レンズの周囲に形成された固定部と、この固定部に対して着脱自在とされ、前記特殊撮影部品が組み込まれる着脱部材とからなることを特徴とする撮影用アダプタ。
【請求項６】
種類の異なる前記特殊撮影部品が組み込まれた複数種類の着脱部材を設け、これらの着脱部材を前記固定部に選択的に取り付けられるようにしたことを特徴とする請求項５記載の撮影用アダプタ。
【発明の詳細な説明】
【０００１】
【発明の属する技術分野】
本発明は、撮影用アダプタに関し、更に詳しくは、フィルタネジを有しないカメラにおいて特殊撮影を行なえるようにした撮影用アダプタに関するものである。
【０００２】
【従来の技術】
撮影機構が組み込まれ、製造時に写真フイルムが装填された状態で販売されるレンズ付きフイルムユニットが普及している。レンズ付きフイルムユニットは、例えば３５ｍｍ程度の広角撮影レンズを使用し、パンフォーカスとすることで、ほとんどの撮影条件下において、簡単に適切な撮影が行なえるようになっている。
【０００３】
一般的なカメラでは、撮影レンズの鏡筒先端にフィルタネジが設けられている。このフィルタネジには、テレやワイドのコンバータレンズや、ソフトフィルタ，クロスフィルタ等を取り付けることができ、標準装備の撮影レンズでは得られない画角や、特殊撮影を楽しむことができる。
【０００４】
レンズ付きフイルムユニットには、フィルタネジは設けられていない。そのため、カメラと同様な特殊撮影をレンズ付きフイルムユニットでも行なえるようにするために、レンズ付きフイルムユニットの外側に装着して使用する接写アダプタ（特開平１１−３８４８０号公報），フィルタアダプタ（特開平１１−３５２５４６号公報），望遠アダプタ（特開２００２−３８４８０号公報）等が各種販売されている。
【０００５】
【発明が解決しようとする課題】
従来の撮影用アダプタは、それぞれがレンズ付きフイルムユニットへの取り付け手段を有する異なる製品であった。そのため、レンズ付きフイルムユニットで様々な効果の撮影行なうには、複数の撮影用アダプタを購入しなければならず、安価なレンズ付きフイルムユニットとのバランスを欠くものであった。また、各アダプタ毎に取り付け方法が異なっているため、複数の取り付け方法を憶える必要があった。更に、各撮影用アダプタは外形サイズが大きいため、撮影途中で取り外すと、その保持に困ることもあった。
【０００６】
本発明は、上記問題点を解決するためのもので、様々な種類の撮影用アダプタを安価に提供するとともに、その取付方法に共通性を持たせることを目的とする。
【０００７】
【課題を解決するための手段】
上記問題点を解決するために、本発明の撮影用アダプタは、カメラに装着される固定部材と、この固定部材に対して着脱自在とされ、特殊撮影部品が組み込まれる着脱部材とから構成したものである。また、種類の異なる特殊撮影部品が組み込まれた複数種類の着脱部材を設け、これらの着脱部材を固定部材に選択的に取り付けられるようにしたものである。
【０００８】
更に、固定部材に対して着脱部材を回動自在に取り付けることで、通常撮影と特殊撮影との間の切り替えを簡単に行なえるようにしたものである。また、固定部材と着脱部材とのいずれかに設けられている回動軸を短くして、回動軸と軸受部との嵌合量を軸受部の幅寸法の半分以下とすることで、固定部材に対する着脱部材の着脱を容易にしたものである。
【０００９】
また、撮影レンズの周囲に、着脱部材が取り付けられる固定部を設けてもよい。
【００１０】
【発明の実施の形態】
図１は、本発明を実施した撮影用アダプタ２と、この撮影用アダプタ２が装着されるレンズ付きフイルムユニット３とを示す外観斜視図である。レンズ付きフイルムユニット３は、現在、一般に販売されているレンズ付きフイルムユニット（製品名：写ルンです　シンプルエース）である。
【００１１】
レンズ付きフイルムユニット３の前面には、前方に向けて突出された膨出部５と、この膨出部５内に組み込まれた撮影レンズ６と、対物側ファインダ窓７と、ストロボ発光部８と、ストロボ充電スイッチ９とが設けられている。レンズ付きフイルムユニット３の上面には、シャッタボタン１０と、残り撮影枚数を表示するカウンタ表示窓１１と、ストロボ充電の完了を表示するパイロットランプ１２等が設けられている。レンズ付きフイルムユニット３の背面には、接眼側ファインダ窓と、撮影済みの写真フイルムを巻上げる巻上げノブとが設けられている。
【００１２】
レンズ付きフイルムユニット３の長手方向中央には、ラベル１４が巻き付けられるようにして貼付されている。このラベル１４は、レンズ付きフイルムユニット３の各部品を成形する際に生じる開口１５，１６や、組立て時及び検査時に使用される穴１７，１８を隠すとともに、このレンズ付きフイルムユニット３の使用方法が印刷されている。ラベル１４には、膨出部５や対物側ファインダ窓７、カウンタ表示窓１１等を露呈させる開口が形成されている。
【００１３】
撮影用アダプタ２は、レンズ付きフイルムユニット３の前面に取り付けられる固定部材である固定枠２０と、この固定枠２０に着脱自在とされた着脱部材である可動枠２１とからなる。図２及び図３に示すように、撮影用アダプタ２の固定枠２０はレンズ付きフイルムユニット３の前面に取り付けられ、可動枠２１は固定枠２１に回動自在に支持される。そして、可動枠２１が撮影レンズ６の前方に配置される特殊撮影位置にあるときに、撮影用アダプタ２の機能を利用した撮影を行なうことができる。また、可動枠２１が撮影レンズ６の前方から退避する通常撮影位置にあるときには、撮影用アダプタ２を利用しない通常の撮影を行なうことができる。
【００１４】
固定枠２０は、矩形の板状部品であり、中央に膨出部５が挿入される大きな開口２３が形成されている。固定枠２０の背面には、レンズ付きフイルムユニット３の前面の開口１５，１６に挿入されて係合する二つの係止爪２４，２５と、穴１７，１８に挿入されて固定枠２０を位置決めする２本の位置決めピン２６，２７とが一体に形成されている。
【００１５】
また、固定枠２０の前面下部には、可動枠２１を回動自在に支持する略円筒形状の軸受部２８，２９と、可動枠２１が通常撮影位置に回動する際にクリック感を付与する突起３０とが形成されている。固定枠２０の上部左方には、可動枠２１が特殊撮影位置に回動したときに、可動枠２１の固定に利用される被係止部３１が設けられている。
【００１６】
可動枠２１は略半円筒形状であり、表面にラベル３２が貼付されている。図４に示すように、可動枠２１の端縁の一方の長辺３３には、固定枠２０の軸受部２８，２９が挿入される切欠３４，３５と、軸受部２８，２９内に挿入される回動軸３６，３７と、固定枠２０の突起３０に当接して可動枠２１の通常撮影位置への回動時にクリック感を付与する突条３８とが形成されている。
【００１７】
図３のＡ−Ａ断面である図５に示すように、回動軸３６，３７は非常に短く構成されており、回動軸３６，３７と軸受部２８，２９との嵌合量は軸受部２８，２９の幅方向の寸法の半分以下である。これは、固定枠２０から可動枠２１を外れやすくして、可動枠２１の交換を容易に行なえるようにするためである。また、可動枠２１に負荷がかかった時に、この負荷が固定枠２０やレンズ付きフイルムユニット３におよぶ前に可動枠２１が外れるので、固定枠２０やレンズ付きフイルムユニット３が破損することもない。
【００１８】
なお、軸受部２８，２９には、可動枠２１の回動軸が挿入される切欠２８ａ，２９ａが背面側に向かって形成されている。これにより、回動軸３６，３７を短くしても、可動枠２１が不用意に固定枠２０から外れることはない。
【００１９】
可動枠２１の端縁の他方の長辺４０には、固定枠２０の被係止部３１に係合する係合部４１が設けられている。この係合部４１には、可動枠２１にスリット４２が形成されて弾性が付与されている。
【００２０】
可動枠２１の円弧面の中央には、内側から周知のアナモルフィックレンズ４４が組み込まれている。このアナモルフィックレンズ４４は、被写体画像を水平方向で圧縮して撮影を行なえるようにする。また、図６に示すように、可動枠４６内に、ソフトフォーカスフィルタ４７を組み込んだり、可動枠４８に接写用コンバータレンズ４９等を組み込むことで、ソフトフォーカス用可動枠や、接写用可動枠等を構成することができる。
【００２１】
次に、上記実施形態の作用について説明する。レンズ付きフイルムユニット３を使用して特殊撮影を行なう場合、その前面に撮影用アダプタ２の固定枠２０を取り付ける。図１に示すように、固定枠２０の係合爪２４，２５が係合される開口１５，１６と、位置決めピン２６，２７が挿入される穴１７，１８とは、レンズ付きフイルムユニット３に貼付されたラベル１４によって隠されている。しかし、固定筒２０の開口２３内に膨出部５を挿入するようにして、固定枠２０をレンズ付きフイルムユニット３の前面に押し付ければ、係合爪２４，２５及び位置決めピン２６，２７によってラベル１４が破れ、固定筒２０がレンズ付きフイルムユニット３の前面に固定される。
【００２２】
図６に示すように、固定枠２０に取り付けて使用する可動枠は、アナモルフィック用可動枠２１や、ソフトフォーカス用可動枠４６，接写用可動枠４８等が各種用意されている。ユーザーは、これら複数種類の可動枠の中から、撮影に使用したい可動枠を選択して購入することができる。
【００２３】
例えば、アナモルフィック用可動枠２１を使用する場合には、図４及び図５に示すように、可動枠２１の回動軸３６，３７を固定枠２０の軸受部２８，２９に挿入することによって、固定枠２０に取り付ける。回動軸３６，３７は非常に短いため、固定枠２０をレンズ付きフイルムユニット３から取り外すことなく、簡単に取付操作を行なうことができる。
【００２４】
撮影用アダプタ２を使用して特殊撮影を行なう場合には、図２に示すように、可動枠２１を特殊撮影位置にセットすればよい。これにより、撮影レンズ６の前方に可動枠２１のアナモルフィックレンズ４４が配置されるので、撮影操作を行なえば、被写体画像が水平方向で圧縮された撮影を行なうことができる。
【００２５】
また、可動枠２１を取り付けた状態で、撮影用アダプタ２を使用しない通常撮影を行なう場合には、図３に示す通常撮影位置に可動枠２１を回動させればよい。これにより、撮影レンズ６の前方が開放されるため、撮影レンズ６の画角通りの通常撮影を行なうことができる。
【００２６】
アナモルフィック撮影以外の特殊撮影を行ないたい場合には、固定枠２０をレンズ付きフイルムユニット３に残した状態で、固定枠２０から可動枠２１を取り外し、別の可動枠を取り付ければよい。全ての可動枠は固定枠２０に対する着脱方法が共通であるため、簡単に着脱することができる。
【００２７】
なお、上記実施形態では、固定枠２０による可動枠２１の保持能力を維持しつつ、可動枠２１を固定枠２０に対して容易に着脱できるようにするために、軸受部２８，２９の切欠２８ａ，２９ａを背面側に向けて形成し、可動枠２１の回動軸３６，３７を短く形成した。しかしながら、図７に示すように、固定枠５５の軸受部５６，５７の切欠５６ａ，５７ａを前面側に向けて形成し、可動枠５８の回動軸５９，６０の長さを軸受部５６，５７の全域と嵌合する長さにしてもよい。この場合、軸受部５６，５７の弾性力を調整することで、可動枠５８が不用意に外れにくく、かつ交換の容易な構成を得ることができる。
【００２８】
また、図８に示すように、レンズ付きフイルムユニット６５の撮影レンズ６６の下方に、軸受部６７，６８を一体に形成し、この軸受部６７，６８に可動枠６９の回動軸７０，７１を嵌合させてもよい。これによれば、固定枠を省略して、コストダウンを図ることができる。
【００２９】
なお、レンズ付きフイルムユニットに使用される撮影用アダプタを例に説明したが、本発明の撮影用アダプタは、フィルタネジを備えていない安価なコンパクトカメラ等にも利用することができる。
【００３０】
【発明の効果】
以上説明したように、本発明の撮影用アダプタは、カメラに装着される固定部材を共通部品とし、この固定部材に取り付けられる複数種類の着脱部材を適宜選択できるようにしたので、様々な種類の特殊撮影を安価に提供することができる。また、着脱部材を通常撮影位置と特殊撮影位置との間で回動できるようにしたので、撮影用アダプタを取り外さなくても、通常撮影と特殊撮影とを適宜選択することができる。
【００３１】
更に、着脱部材の固定部材への着脱を簡単に行なえるようにしたので、着脱部材の交換に伴う煩雑さを解消することができる。
【図面の簡単な説明】
【図１】本発明の撮影用アダプタと、この撮影用アダプタが装着されるレンズ付きフイルムユニットとの構成を示す分解斜視図である。
【図２】特殊撮影状態の撮影用アダプタ及びレンズ付きフイルムユニットの外観斜視図である。
【図３】通常撮影状態の撮影用アダプタ及びレンズ付きフイルムユニットの外観斜視図である。
【図４】固定枠と可動枠との着脱状態を示す外観斜視図である。
【図５】軸受部と回動軸との嵌合状態を示す要部断面図である。
【図６】レンズ付きフイルムユニットに装着された固定枠と、この固定枠に対して着脱可能な複数の可動枠とを示す説明図である。
【図７】本発明の別の実施形態の撮影用アダプタを示す分解斜視図である。
【図８】本発明の更に別の実施形態の撮影用アダプタを示す分解斜視図である。
【符号の説明】
２　撮影用アダプタ
３　レンズ付きフイルムユニット
６　撮影レンズ
２０　固定枠
２１，４６，４８　可動枠
２８，２９，５６，５７，６７，６８　軸受部
３６，３７，５９，６０，７０，７１　回動軸
【図１】
2004093907.tif 000003
【図２】
2004093907.tif 000004
【図３】
2004093907.tif 000005
【図４】
2004093907.tif 000006
【図５】
2004093907.tif 000007
【図６】
2004093907.tif 000008
【図７】
2004093907.tif 000009
【図８】
2004093907.tif 000010